(57)【特許請求の範囲】
【請求項１】
電話回線に接続される親機と、この親機と無線で接続される子機からなるコードレス電話機であり、
子機の充電端子に充電器から充電電圧が印加されているか否かを監視し、充電端子に充電電圧が印加される状態から印加されない状態になったならば、親機および子機を回線捕捉状態に設定し、子機の充電端子に再び充電電圧が印加される状態になったならば、回線を自動的に切断するクイック通話機能を有し、
子機の充電端子に充電電圧が印加される状態から印加されない状態になったとき、外線の着信の有無を検出し、外線の着信有りが検出されたならば、回線を捕捉せず、前記クイック通話機能を禁止することを特徴とするコードレス電話機。
【請求項２】
電話回線に接続される親機と、この親機と無線で接続される子機からなるコードレス電話機であり、
子機の充電端子に充電器から充電電圧が印加されているか否かを監視し、充電端子に充電電圧が印加される状態から印加されない状態になったならば、親機および子機を回線捕捉状態に設定し、子機の充電端子に再び充電電圧が印加される状態になったならば、回線を自動的に切断するクイック通話機能を有し、
子機の充電端子に充電電圧が印加される状態から印加されない状態になったとき、外線の着信の有無を検出し、外線の着信有りが検出されたならば、回線を捕捉せず、前記クイック通話機能を禁止し、外線の着信無しが検出されたならば、前記クイック通話機能を動作させ、回線を捕捉することを特徴とするコードレス電話機。
【発明の詳細な説明】
【０００１】
【発明の属する技術分野】
本発明はコードレス電話機に係り、特に子機のクイック通話機能に関する。
【０００２】
【従来の技術】
家庭用電話機としてコードレス電話機が人気を博している。このコードレス電話機は、親機と子機からなり、子機が無線で親機と接続され、この子機を使用することにより電話機コードの長さに関係なく任意の場所から電話をかけることができる。
【０００３】
このコードレス電話機において、子機は不使用時は充電器上に載置されて充電されている。この“充電”を利用して例えば実公平６−３５５６１号公報、特許第２５７７８２４号公報、特開平１０−１３５０４号公報、特許第２６３０８３７号公報に開示されるようにクイック通話機能が開発されている。
【０００４】
クイック通話機能は、子機の充電端子に充電器から充電電圧が印加されているか否かを監視し、もし充電端子に充電電圧が印加されない状態になったならば、子機が充電器から取り上げられてオフフックの状態になったと判断して、親機および子機を回線捕捉状態に設定する機能である。また、子機の充電端子に再び充電電圧が印加される状態になったならば、子機が充電器上に戻されてオンフックの状態になったと判断して回線を自動的に切断する。
【０００５】
このクイック通話機能（従来例）を図５のフローチャートを参照してより詳細に説明すると、ステップＳ１の充電検出処理と、ステップＳ２の判断処理により、子機の充電端子に充電電圧が印加されているか否か監視し、もし充電電圧が印加されなくなったときは、子機が充電器から取り上げられてオフフックの状態になったと判断して、ステップＳ３で示すように制御チャンネル上に回線捕捉コマンドをセットし、該コマンドをステップＳ４で示すように子機から親機に送信する。その結果、親機は回線捕捉状態となり、ひいては親機からの制御の下、子機も回線捕捉状態に設定される。また、図５のフローチャートには示されていないが、子機を充電器上に戻し、子機が再び充電状態になれば、オンフックになったと判断して、回線切断コマンドが制御チャンネル上にセットされて子機から親機に送信されるので、回線を自動的に切断することができる。このように、クイック通話機能によれば、子機を充電器から取り上げる、または子機を充電器に戻すだけで、他のキー操作を必要とすることなく、電話機を回線捕捉状態あるいは回線切断状態に設定できる。
【０００６】
【発明が解決しようとする課題】
しかるに、このようなクイック通話機能が着信時に動作すると、ナンバディスプレイサービスで相手方の電話番号を受信してその相手方の電話番号を確認しようとして子機を充電器から取り上げたときに回線を捕捉してしまうので、応答したくない相手とも通話しなければならなくなるという問題点があった。また、外線着信時に子機を充電器から取り上げて回線を捕捉し、その後誤って子機を充電器上に落として充電状態になると、回線が切断されてしまうという問題点もあった。
【０００７】
そこで、特開平９−２６１３０８号公報に開示されるように、充電器に対する子機の置き方でクイック通話機能を不動作にする技術も開発されている。
【０００８】
しかし、充電器に対する子機の置き方でクイック通話機能を不動作にする方法は、その置き方を守る必要があり、うっかり置き方を間違えたりすると、着信時にクイック通話機能が動作して、上述の問題点が発生することがある。また、置き方でクイック通話機能を不動作状態に設定する場合は、その決められた置き方になっていると発信時もクイック通話機能が働かず、発信時の使い勝手が悪くなる問題点があった。すなわち、発信時は、回線捕捉の前に相手方電話番号を確認して電話に出るか出ないかを決める必要性はなく、かつ誤って子機を充電器上に落として回線が切断されても発信をやり直せばよいのであるから、子機を充電器から取り上げたらクイック通話機能が動作して即回線捕捉状態になる方が便利であるが、決められた置き方が守られていればそのようにならず、かえって使い勝手が悪くなる。
【０００９】
本発明は上記の点に鑑みなされたもので、着信時は確実にクイック通話機能を不動作にして、クイック通話機能が動作することによる問題点を解決でき、しかも発信時はクイック通話機能を確実に動作させて使い勝手を向上させることができるコードレス電話機を提供することを目的とする。
【００１０】
【課題を解決するための手段】
本発明の第１のコードレス電話機は、電話回線に接続される親機と、この親機と無線で接続される子機からなるコードレス電話機であり、子機の充電端子に充電器から充電電圧が印加されているか否かを監視し、充電端子に充電電圧が印加される状態から印加されない状態になったならば、親機および子機を回線捕捉状態に設定し、子機の充電端子に再び充電電圧が印加される状態になったならば、回線を自動的に切断するクイック通話機能を有し、子機の充電端子に充電電圧が印加される状態から印加されない状態になったとき、外線の着信の有無を検出し、外線の着信有りが検出されたならば、回線を捕捉せず、前記クイック通話機能を禁止することを特徴とする。
【００１２】
本発明の第２のコードレス電話機は、電話回線に接続される親機と、この親機と無線で接続される子機からなるコードレス電話機であり、子機の充電端子に充電器から充電電圧が印加されているか否かを監視し、充電端子に充電電圧が印加される状態から印加されない状態になったならば、親機および子機を回線捕捉状態に設定し、子機の充電端子に再び充電電圧が印加される状態になったならば、回線を自動的に切断するクイック通話機能を有し、子機の充電端子に充電電圧が印加される状態から印加されない状態になったとき、外線の着信の有無を検出し、外線の着信有りが検出されたならば、回線を捕捉せず、前記クイック通話機能を禁止し、外線の着信無しが検出されたならば、前記クイック通話機能を動作させ、回線を捕捉することを特徴とする。
【００１３】
【発明の実施の形態】
次に添付図面を参照して本発明によるコードレス電話機の実施の形態を詳細に説明する。図２および図３は本発明のコードレス電話機の実施の形態を示す回路図であり、特に図２は親機の回路図、図３は子機の回路図である。
【００１４】
図２に示す親機１０は、この親機全体を制御するＣＰＵ１１を有し、このＣＰＵ１１にキーマトリックス１２、ＬＣＤ表示部１３、ＲＯＭ１４、メッセージ録音部１５、フックスイッチ１６が接続される。ここで、キーマトリックス１２は、留守キー、再生キー、ハンズフリーキー、登録キー、テンキー等を有し、各種の情報を入力する。ＬＣＤ表示部１３は、受信した発信者の電話番号等の各種の情報を表示する。ＲＯＭ１４は、受信した発信者の電話番号等の各種の情報を記憶し、しかも電話帳としてのメモリ機能も有する。メッセージ録音部１５は、留守録モード時の応答メッセージ、受信した発信者からのメッセージを録音する。フックスイッチ１６は受話器が親機１０上に設置されているか否かを判別する。
【００１５】
１７は回線端子で、リンガ信号を検出する着信検出回路１８が接続され、この着信検出回路１８の出力がＣＰＵ１１に接続される。１９は回線端子１７の電圧極性反転が電話機内部に影響を与えないようにする整流回路、２０は回線の接続・切断を行うＤＰ送出回路、２１は２線−４線変換を行うスピーチネットワークＩＣであり、回線端子１７はこれらの回路を介してＣＰＵ１１に接続される。また、スピーチネットワークＩＣ２１には、受話器２２、マイク２３、スピーカ２４、コーラーＩＤＩＣ２５が接続されており、コーラーＩＤＩＣ２５の出力はＣＰＵ１１に接続される。コーラーＩＤＩＣ２５は、受信した発信者の電話番号を判別する回路である。さらに、スピーチネットワークＩＣ２１およびＣＰＵ１１は、子機と無線通信を行うためにコンパンダＩＣ２６を介してＲＦモジュール２７に接続されており、ＲＦモジュール２７にはアンテナ２８が接続される。さらに、親機１０は電源回路２９を有し、この電源回路２９から上記各部に電源電圧が供給される。
【００１６】
図３に示す子機３０は、この子機全体を制御するＣＰＵ３１を有し、このＣＰＵ３１には、親機１０と無線通信を行うためにＲＦモジュール３３がコンパンダＩＣ３４を介して接続されており、ＲＦモジュール３３にはアンテナ３２が接続される。また、コンパンダＩＣ３４は、音声出力部が増幅器３５を介してスピーカ３６に接続されるとともに、マイク３７が音声入力部に接続される。また、ＣＰＵ３１には、親機１０と同様に、情報を入力するキーマトリックス３８、情報を表示するＬＣＤ表示部３９、情報を記憶するＲＯＭ４０が接続される。さらに、子機３０は、リチウムイオン電池からなる充電可能な電源部４１を有し、この電源部４１から上記各部に電源電圧が供給される。電源部４１は一対の充電端子４１ａ，４１ｂを有する。
【００１７】
このような子機３０は、不使用時は図４（ｂ）に示すように充電器５０上に載置されて充電状態に設定される。充電器５０は、図４（ａ）に示すようにケース５１内に充電回路（図示せず）を収容して構成されており、充電回路は図示しない電源コードを介して商用交流電源に接続される。また、充電器５０は、に示すように、ケース５１の前面に子機挿入部５２を有して縦型の台に形成されており、子機挿入部５２の底面には充電器側の充電端子５３ａ，５３ｂが設けられる。一方、子機３０は長方形状に形成されて下端部に前記充電端子４１ａ，４１ｂが設けられる。この子機３０は、図４（ｂ）に示すように、下端側を充電器５０の子機挿入部５２に挿入して充電器５０に立てかけることにより、この充電器５０に載置される。このとき、子機３０の充電端子４１ａ，４１ｂが充電器５０の充電端子５３ａ，５３ｂに接触するので、これら充電端子５３ａ，５３ｂ，４１ａ，４１ｂを介して子機３０が充電器５０により充電状態に設定される。一方、子機３０を使用するときは、使用者により子機３０が充電器５０から取り上げられる。すると、子機３０の充電端子４１ａ，４１ｂが充電器５０の充電端子５３ａ，５３ｂから離れるので、子機３０は充電が停止される。
【００１８】
なお、図４の充電器５０は一例であって、他に、平面型で子機３０を寝かせて置くタイプ、親機１０のケースの一部に一体に設けたタイプなど種々のタイプがある。いずれのタイプの充電器であってもよい。いずれのタイプの充電器でも、子機３０は不使用時は充電器上に載置されて充電状態に設定される。
【００１９】
以上のように構成されたコードレス電話機においては、子機３０が非充電になったとき、すなわち子機３０が充電器５０から取り上げられてオフフック状態になったとき、外線の着信、非着信を子機３０のＣＰＵ３１が検出し、いま外線の着信が検出されると（すなわち着信時は）回線を捕捉せず、クイック通話機能を不動作にする。一方、オフフック時、前記検出で外線の非着信が検出されると（すなわち発信時は）は回線を捕捉し、クイック通話機能を働かせる。このような動作を以下図１のフローチャートを参照して詳細に説明する。
【００２０】
子機３０のＣＰＵ３１は、図１のフローチャートのステップＳ１１の充電検出処理と、ステップＳ１２の判断処理により、子機３０の充電端子４１ａ，４１ｂに充電器５０から充電電圧が印加されているか否か監視する。そして、もし子機３０の充電端子４１ａ，４１ｂに充電電圧が印加されなくなると、すなわち、子機３０が充電器５０から取り上げられてオフフックの状態になると、ＣＰＵ３１はステップＳ１３に進んでそのとき子機３０に対して外線着信があるか否か判別する。そして、もし、前記のオフフックが発信のためのオフフックであって、前記オフフック時、外線着信がなければ、ＣＰＵ３１はステップＳ１４に進んで制御チャンネル上に回線捕捉コマンドをセットし、該コマンドをステップＳ１５で子機３０から親機１０に送信する。その結果、親機は回線捕捉状態となり、ひいては親機１０からの制御の下、子機３０も回線捕捉状態に設定され通話が可能となる。すなわち、発信時は、クイック通話機能が動作し使い勝手が向上する。
【００２１】
一方、ステップＳ１１，Ｓ１２でオフフックが検出された時、ステップＳ１３で外線着信が検出されると、すなわち着信時であると、ＣＰＵ３１は制御チャンネル上に回線切断コマンドをセットせず、そのままオフフックに伴う動作は終了となる。すなわち、着信時は、クイック通話機能が動作しない。したがって、クイック通話機能が動作することによる問題点、例えばナンバディスプレイサービスで受信した相手方の電話番号を確認する前に回線を捕捉し通話状態になって通話したくない相手とも通話しなければならなくなったり、外線着信時に回線捕捉後誤って子機を充電器上に落として充電状態になり回線が切断されてしまうなどの問題点を解決できる。
【００２２】
また、上記のように、上記の方法では、外線の着信、非着信をＣＰＵ３１が検出して、発信時はクイック通話機能を動作させる一方、着信時はクイック通話機能が動作しないようにしたので、子機の置き方によりクイック通話機能の動作を禁止、あるいは可能にする従来の方法に比較して確実に着信時はクイック通話機能禁止、発信時は可能に設定することができる。この際、子機の置き方を気にする必要がないので、使い勝手も向上する。
【００２３】
なお、着信時、クイック通話機能は動作しないが、キーマトリックス３８中の通話キーを操作すれば、通話状態に設定できることは勿論である。また、子機３０を充電器５０上に戻し、子機３０が再び充電状態になれば、すなわちオンフック状態になれば、回線切断コマンドが制御チャンネル上にセットされて子機３０から親機１０に送信されるので、回線を自動的に切断することができる。
【００２４】
【発明の効果】
以上詳細に説明したように本発明のコードレス電話機によれば、着信時は確実にクイック通話機能を不動作にして、クイック通話機能が動作することによる問題点を解決でき、使い勝手も向上し、しかも発信時はクイック通話機能を確実に動作させて発信時の使い勝手も向上させることができる。
【図面の簡単な説明】
【図１】本発明によるコードレス電話機の実施の形態の動作を説明するためのフローチャート。
【図２】本発明によるコードレス電話機の実施の形態であって、特に親機を示す回路図。
【図３】本発明によるコードレス電話機の実施の形態であって、特に子機を示す回路図。
【図４】本発明によるコードレス電話機の実施の形態において、子機が充電器上に載置される様子を示す斜視図。
【図５】従来のクイック通話機能を示すフローチャート。
【符号の説明】
１０  親機
３０  子機
４１ａ，４１ｂ  充電端子
５０  充電器
５３ａ，５３ｂ  充電端子
【図１】
0004256023.tif 000002
【図２】
0004256023.tif 000003
【図３】
0004256023.tif 000004
【図４】
0004256023.tif 000005
【図５】
0004256023.tif 000006